(57)【要約】【課題】配線スペースを確保できる灯具及び照明装置を提供する。【解決手段】灯具１００は、ＬＥＤが実装され、調光されるＬＥＤモジュールと、ＬＥＤモジュールが配置された長手形状のベース部１１１と、ベース部１１１に配置され、調光信号を伝達する調光線が接続される調光端子１９１Ａ、調光端子１９１Ｂと、ベース部１１１に配置され、ＬＥＤモジュールに電力を供給する電源装置１４０Ａ、電源装置１４０Ｂを備えている。電源装置１４０Ａ、１４０Ｂと、調光端子１９１Ａ，１９１Ｂ線接続部とは、ベース部１１１の長手方向Ｘにおける中央Ｃを挟んで、ベース部１１１に配置されている。【選択図】図３
2017112042.tif 000002
【特許請求の範囲】
【請求項１】
光源が実装され、調光される光源モジュールと、
前記光源モジュールが配置された長手形状のベース部と、
前記ベース部に配置され、調光信号を伝達する調光線が接続される複数の調光線接続部と、
前記ベース部に配置され、前記光源モジュールに電力を供給する複数の電源装置と
を備え、
前記複数の電源装置と、前記複数の調光線接続部とは、
前記ベース部の長手方向における中央を挟んで、前記ベース部に配置された灯具。
【請求項２】
前記ベース部は、
板状体をなし、前記板状体の一方の面に前記光源モジュールが配置されており、前記板状体の他方の面に前記複数の電源装置と前記複数の調光線接続部とが配置された請求項１に記載の灯具。
【請求項３】
前記複数の電源装置の各電源装置は、
長手形状であり、
前記複数の電源装置は、
各電源装置の長手方向が前記ベース部の長手方向に沿って、一列状に配置された請求項１または請求項２に記載の灯具。
【請求項４】
各電源装置の長手方向の一方の端部と他方の端部とは、
前記ベース部の長手方向を法線方向とする端面を有し、
隣接して配置される前記電源装置どうしは、
向かいあう端面どうしの前記ベース部の長手方向における距離を示す隣接距離が、前記複数の電源装置の各電源装置の端面間の前記ベース部の長手方向における長さを示す装置長さのうちの、どの前記装置長さよりも短い請求項３に記載の灯具。
【請求項５】
前記隣接距離は、
前記複数の電源装置のうちのどの前記電源装置の前記装置長さの７０％よりも短い請求項４に記載の灯具。
【請求項６】
前記複数の電源装置のうち前記ベース部の前記中央に最も近く配置された前記電源装置は、
２つの前記端面のうち前記中央寄りの前記端面と、前記中央との前記ベース部の長手方向における距離が、前記複数の電源装置のうちのどの前記電源装置の前記装置長さの５０％よりも短い請求項５に記載の灯具。
【請求項７】
前記灯具は、
前記ベース部に配置され、かつ、前記複数の調光線接続部との間に前記複数の電源装置を挟む位置に配置された電源端子台を備えた請求項２から請求項６のいずれか一項に記載の灯具。
【請求項８】
光源が実装され、調光される光源モジュールと、
前記光源モジュールが配置された長手形状のベース部と、
前記ベース部に配置され、調光信号を伝達する調光線が接続される複数の調光線接続部と、
前記ベース部に配置され、前記光源モジュールに電力を供給する電源線が接続される電源端子台とを備え、
前記電源端子台と、前記複数の調光線接続部とは、
前記ベース部の長手方向における中央を挟んで、前記ベース部に配置された灯具。
【請求項９】
前記ベース部は、
板状体をなし、前記板状体の一方の面に前記光源モジュールが配置されており、前記板状体の他方の面に前記電源端子台と前記複数の調光線接続部とが配置された請求項８に記載の灯具。
【請求項１０】
請求項１から請求項７のいずれか一項に記載の灯具と、
前記灯具が取り付けられた照明器具と
を備えた照明装置。
【請求項１１】
前記照明器具は、
前記複数の電源装置と、前記複数の調光線接続部とが収納される凹形状の凹部を有する請求項１０に記載の照明装置。
【請求項１２】
請求項８または請求項９に記載の灯具と、
前記灯具が取り付けられた照明器具と
を備えた照明装置。
【請求項１３】
前記照明器具は、
前記電源端子台と、前記複数の調光線接続部とが収納される凹形状の凹部を有する請求項１２に記載の照明装置。
【発明の詳細な説明】
【技術分野】
【０００１】
本発明は、光源が実装された長尺状の灯具と、この灯具を取り付ける照明器具とを有する照明装置に関する。特に、灯具における配線スペースの確保の技術に関する。
【背景技術】
【０００２】
従来、光源が実装された長尺状の灯部と、この灯具の一部が挿入される凹部を有する長尺状の照明器具とを備える照明装置であって、灯具が複数の電源装置を備える構成の照明装置がある（例えば、特許文献１）。
【先行技術文献】
【特許文献】
【０００３】
【特許文献１】特開２０１５−１２８０７２号公報
【発明の概要】
【発明が解決しようとする課題】
【０００４】
従来、長尺状の照明装置には、器具本体側あるいは光源ユニット側に光源を点灯する電源装置が配置されている。この電源装置も長尺状である。このため複数の電源装置を配置しようとする場合、電源線、信号線などの電線の配線スペースの確保が容易ではなかった。
また調光機能を搭載する場合、調光機能に使用する部品や電源端子台の存在により、同様に配線スペースの確保が容易ではなかった。
【０００５】
本発明は、配線スペースを確保できる灯具及び照明装置の提供を目的とする。
【課題を解決するための手段】
【０００６】
この発明の灯具は、
光源が実装され、調光される光源モジュールと、
前記光源モジュールが配置された長手形状のベース部と、
前記ベース部に配置され、調光信号を伝達する調光線が接続される複数の調光線接続部と、
前記ベース部に配置され、前記光源モジュールに電力を供給する複数の電源装置と
を備え、
前記複数の電源装置と前記複数の調光線接続部とは、
前記ベース部の長手方向における中央を挟んで、前記ベース部に配置されたことを特徴とする。
【発明の効果】
【０００７】
本発明によれば、複数の電源装置と複数の調光線接続部とは、ベース部の長手方向における中央を挟んで、ベース部に配置されているので、電線の配線スペースを確保できる。
【図面の簡単な説明】
【０００８】
【図１】実施の形態１の図で、照明装置１０の斜視図。
【図２】実施の形態１の図で、照明装置１０の分解斜視図。
【図３】実施の形態１の図で、灯具１００の斜視図。
【図４】実施の形態１の図で、図３と異なる視点の灯具１００の斜視図。
【図５】実施の形態１の図で、灯具１００を照射側から見た斜視図。
【図６】実施の形態１の図で、照明装置１０の内部を示す図１のＡ−Ａ断面図。
【図７】実施の形態１の図で、灯具１００の６面図。
【図８】実施の形態１の図で、灯具１００の分解斜視図。
【図９】実施の形態１の図で、灯具１００の配線図。
【図１０】実施の形態２の図で、灯具１００Ａの斜視図。
【図１１】実施の形態２の図で、図１０と異なる視点の灯具１００Ａの斜視図る。
【図１２】実施の形態２の図で、図１１の右側端部の部分拡大図。
【図１３】実施の形態２の図で、灯具１００Ａを照射側から見た斜視図。
【図１４】実施の形態２の図で、灯具１００Ａの６面図。
【図１５】実施の形態２の図で、灯具１００Ａの配線図。
【図１６】実施の形態３の図で、照明装置１０Ｂの斜視図。
【図１７】実施の形態３の図で、照明装置１０ＢのＢ−Ｂ断面図。
【図１８】実施の形態３の図で、照明装置１０Ｃの斜視図。
【図１９】実施の形態３の図で、照明装置１０ＣのＢ−Ｂ断面図。
【図２０】実施の形態３の図で、照明装置１０Ｆの斜視図。
【図２１】実施の形態３の図で、照明装置１０ＦのＢ−Ｂ断面図。
【発明を実施するための形態】
【０００９】
以下、本発明の実施の形態について、図面を用いて説明する。なお、以下に説明する実施の形態によって本発明が限定されない。また、以下の図面では各構成部の大きさの関係が実際のものとは異なる場合がある。また、実施の形態の説明において、「上」、「下」、「左」、「右」、「前」、「後」、「表」、「裏」といった方向や位置が示されている場合、それらの表記は、説明の便宜上、そのように記載しているだけであって、装置、器具、部品等の配置や向き等を限定しない。
【００１０】
実施の形態１．
＜＊＊＊構成の説明＊＊＊＞
図１〜図９を参照して、実施の形態１における長手形状の照明装置１０を説明する。照明装置１０は調光信号が入力されることで調光される。
【００１１】
図１は、照明装置１０の斜視図である。長手方向を長手方向Ｘとし、短手方向を短手方向Ｙ、照射側を下方、取付側を上方とする。なお、灯具１００、フレーム１１０，カバー１３０も長手形状であり、それらの長手方向も長手方向Ｘとし、短手方向を短手方向Ｙとする。
図２は、照明装置１０を灯具１００と照明器具２００とに分解した分割斜視図である。灯具は光源ユニットと呼ばれる場合もある。
図３は、灯具１００を取付側から見た斜視図である。長手方向Ｘのうち電源装置１４０Ｂから電源装置１４０Ａに向かう方向をＸ１方向とする。
図４は、灯具１００を取付側から見た別の斜視図である。
図５は、灯具１００を照射側から見た斜視図である。
図６は、照明装置１０の内部を示す図であり、図１のＡ−Ａ断面図である。
図７は、灯具１００の６面図である。
図８は、灯具１００の分解斜視図であり、フレーム１１０，ＬＥＤモジュール１２０，カバー１３０を示しており、電源装置１４０、取付具１５０等は省略している。
図９は、灯具１００の配線図である。
【００１２】
実施の形態１の特徴は灯具１００にある。灯具１００の特徴は、図３に示すように、電源装置１４０Ａ，１４０Ｂと、調光端子１９１Ａ，１９１Ｂとは、ベース部１１１の長手方向Ｘにおける中央Ｃを挟んで、ベース部１１１に配置されている点である。中央Ｃは、ベース部１１１の長手方向Ｘにおける中央であり、かつ、灯具１００の長手方向Ｘにおける中央でもある。
つまり図３に示すように、灯具１００の特徴は、灯具１００の中央ＣよりもＸ１方向に電源装置１４０Ａ、電源装置１４０Ｂがまとまって配置されており、中央Ｃに対して反Ｘ１方向に調光端子１９１Ａ，１９１Ｂがまとまって配置されている点にある。
このような、まとまり配置によって、ベース部１１１の装置取付面１１１ｂに配置される電線の配線スペースを確保することができる。またベース部１１１の装置取付面１１１ｂに配置される電線どうしの干渉や、電線と装置取付面１１１ｂに配置される他の配置部品との干渉を避けることができる。
なお、以下の実施の形態１では２つの電源装置及び２つの調光端子の場合を示しているが、３つ以上の電源装置及び３つ以上の調光端子の場合にも、まとまり配置は適用できることは明らかである。
【００１３】
＜照明装置１０＞
図１に示す実施の形態１の照明装置１０は、天井や壁などの取付部に取り付けられる照明装置であり、長手方向Ｘに延びた長手形状の照明装置である。照明装置１０は、長手方向Ｘに複数連結して用いられる場合がある。照明装置１０は、灯具１００と、灯具１００を着脱可能に取り付ける照明器具２００とを有する。
【００１４】
＜灯具１００＞
灯具１００は、フレーム１１０、ＬＥＤモジュール１２０、カバー１３０、電源装置１４０Ａ、電源装置１４０Ｂ、２つの取付具１５０、４つの電線保持部材１６０、２つの第２電線クランプ１７０、第１電線クランプ１８０、電源端子台１９０、調光端子１９１Ａ、調光端子１９１Ｂを有する。
【００１５】
＜フレーム１１０＞
図８に示すように、フレーム１１０は、長尺状の板状体であるベース部１１１と、ベース部１１１の短手方向の両端が折り曲げられて形成される側壁部１１２とを有する。側壁部１１２の先端は図６に示すようにカール形状のカール部１１２ｃが形成されている。ベース部１１１の光源取付面１１１ａには、ＬＥＤモジュール１２０が取り付けられる。光源取付面１１１ａの裏面である装置取付面１１１ｂには、電源装置１４０Ａ，１４０Ｂ、取付具１５０、電線保持部材１６０、第２電線クランプ１７０、第１電線クランプ１８０、電源端子台１９０、調光端子１９１Ａ、調光端子１９１Ｂが取り付けられる
【００１６】
＜ＬＥＤモジュール１２０＞
図８に示すように、灯具１００は、ＬＥＤモジュール１２０を備えている。ＬＥＤモジュール１２０は、ＬＥＤ群１２０Ａ、ＬＥＤ群１２０Ｂを備えており、ＬＥＤ群１２０Ａ（光源回路１）は電源装置１４０Ａから供給される点灯電力によって点灯され、点灯電力の増減によって調光される。ＬＥＤ群１２０Ｂ（光源回路２）は電源装置１４０Ｂから供給される点灯電力によって点灯され、点灯電力の増減によって調光される。ＬＥＤモジュール１２０は、光源１２００ａであるＬＥＤ１２０ａが実装され、調光される光源モジュール１２００である。ＬＥＤモジュール１２０は、発光素子であるＬＥＤ１２０ａが実装された基板１２０ｂを備える。
なお、図８に示すＬＥＤ群１２０Ａ（光源回路１）及びＬＥＤ群１２０Ｂ（光源回路２）の配置は一例であってこれに限定されない。
また、光源１２００ａであるＬＥＤ１２０ａは、ＬＥＤ群１２０Ａ（光源回路１）に用いられるものとＬＥＤ群１２０Ｂ（光源回路２）に用いられるものとが異なるものであってもよい。
【００１７】
＜カバー１３０＞
図６に示すように、カバー１３０は、基板１２０ｂを覆う。また、カバー１３０は、長手方向Ｘに延びたカバー側部１３１を有する。カバー１３０は、カバー側部１３１がフレーム１１０の短手方向Ｙの端部であるフレーム側部１１０ａ（側壁部１１２の外側表面）を覆ってフレーム１１０に取り付けられる。側壁部１１２にはカバー側部１３１の端部がカール部１１２ｃに取り付けられ、カバー１３０がフレーム１１０に固定される。カバー１３０は長手方向Ｘの両端を塞ぐ一対のカバー蓋部１３４を有する。
【００１８】
＜電源装置１４０Ａ、１４０Ｂ＞
灯具１００は、２つの電源装置である、電源装置１４０Ａ、電源装置１４０Ｂを備えている。各電源装置、ベース部１１１の長手方向Ｘにおける中央ＣよりもＸ１方向側に寄せて取り付けられている。
【００１９】
＜取付具１５０＞
図３に示すように、２つの取付具１５０は、ベース部１１１の長手方向Ｘの両端側にそれぞれ取り付けられている。取付具１５０は、後述する照明器具２００が備える板バネ２３０と係合し、灯具１００を照明器具２００に固定する。さらに、取付具１５０は、灯具１００の形状に応じて設置される数が変更することができる。灯具１００の長手方向Ｘの長さが短い場合は、長手方向Ｘの一端部のみに取付具１５０を設置し他端部はフックなどで固定する機構としてもよい。また、灯具１００の長手方向Ｘの長さが長い場合は、長手方向Ｘの両端部と中央Ｃに取付具１５０を設置してもよい。中央Ｃに取付具１５０を設置する場合は、取付具１５０及び取付具１５０に対応し照明器具２００に配置され板バネ２３０が、電源装置１４０と干渉しない位置を選択する。
【００２０】
＜電線保持部材１６０、第１電線クランプ１８０、第２電線クランプ１７０＞
灯具１００は、電線保持部材１６０、第１電線クランプ１８０、第２電線クランプ１７０を備えている。これらの電線保持部材１６０等は、後述の図９の配線図の説明とともに述べる。
【００２１】
＜電源端子台１９０＞
電源端子台１９０は、ベース部１１１の装置取付面１１１ｂに配置される。電源端子台１９０と、２つの調光端子１９１Ａ，１９１Ｂとは、これらの間に、電源装置１４０Ａ，電源装置１４０Ｂを挟むように配置されている。なお、３つ以上の調光端子が存在する場合も同様であり、電源端子台１９０と、３つ以上の調光端子とが中央Ｃを挟んで配置される。
【００２２】
＜調光端子１９１Ａ，１９１Ｂ＞
調光端子１９１Ａ，１９１Ｂは、調光信号を伝達する調光線が接続される調光線接続部１９００である。ここで調光線は、後述する電線５ａ，６ａ，５ｂ，６ｂである。
【００２３】
＜照明器具２００の説明＞
図２に示すように、照明器具２００は、器具本体２１０と、器具本体２１０の両端部に取り付けられる端板部２２０とを備える。器具本体２１０は、コの字状に折り曲げられて形成され、長手方向に延びた凹部２１１（図２）を備える。器具本体２１０は、板金が折り曲げられて形成される。
【００２４】
図２及び図６に示すように、凹部２１１は、長手方向Ｘに延びた平板形状の底面部２１１ａと、底面部２１１ａの短手方向の両端部を基端部として立ち上がる一対の側面部２１１ｂとを備える。また、凹部２１１は、開口部２１１ｃが形成される。開口部２１１ｃは図２のｐ，ｑ，ｒ，ｓの矩形部分である。また、器具本体２１０は、側面部２１１ｂの端部から取付側に向かって広がるように形成された傾斜部２１１ｄを備える。
【００２５】
＜板バネ２３０＞
図２に示すように、凹部２１１の底面部２１１ａには、端子台２４０と、２つの板バネ２３０が設置される。端子台２４０は、電源端子台である。板バネ２３０は、上述した灯具１００が備える取付具１５０に対応する位置に配置される。また、灯具１００が照明器具２００に取り付けられた状態では、灯具１００が備える電源装置１４０、電源装置１４０Ｂの少なくとも一部が開口部２１１ｃから凹部２１１に収容されている。
なお、板バネ２３０は、照明器具２００の形状に応じて設置される数が変更される。照明器具２００の長手方向Ｘの長さが短い場合は、長手方向Ｘの一端部のみに板バネ２３０を設置し他端部はフックなどで固定する機構としてもよい。
また、照明器具２００の長手方向Ｘの長さが長い場合は、長手方向Ｘの両端部と中央Ｃに板バネ２３０を設置してもよい。中央Ｃに板バネ２３０を設置する場合は、板バネ２３０及び板バネ２３０に対応する灯具１００が備える取付具１５０が、灯具１００に取り付けられる電源装置１４０と干渉しない位置を選択する。
【００２６】
＜端子台２４０＞
図示はしていないが端子台２４０には外部電源に接続される電源電線が接続される。また、図示はしていないが、端子台２４０には照明器具２００を長手方向Ｘに連結した場合に、隣接する照明器具に電力や信号を送る送り電線が接続される。よって、凹部２１１内には、電源電線や送り電線等が配設される。
【００２７】
図３、図４、図７等を参照して、本実施の形態の特徴である電源装置１４０Ａ、電源装置１４０Ｂと、調光端子１９１Ａ、調光端子１９１Ｂとの配置関係を説明する。
【００２８】
電源装置１４０Ａ，１４０Ｂと、調光端子１９１Ａ，１９１Ｂとは、ベース部１１１の長手方向Ｘにおる中央Ｃを挟んで、ベース部１１１に配置されている。なお、３つ以上の電源装置と、３つ以上の調光端子とが中央Ｃを挟んで配置されても良いことはもちろんである。
【００２９】
２つの電源装置１４０Ａ，１４０Ｂは長手形状である。電源装置１４０Ａ，１４０Ｂは、各電源装置の長手方向がベース部１１１の長手方向Ｘに沿って、一列状に配置されている。２つの電源装置１４０Ａ，１４０Ｂの長手方向も長手方向Ｘとする。なお、３つ以上の電源装置が一列状に配置されても良いことはもちろんである。
【００３０】
電源装置１４０Ａ，１４０Ｂの長手方向Ｘの一方の端部と他方の端部とは、ベース部１１１の長手方向Ｘを法線方向とする端面１４１Ａ，１４２Ａ，１４１Ｂ，１４２Ｂを有する。Ｘ１方向の手間側の端面を端面１４１、向こう側の端面を端面１４２とし、電源装置１４０Ａ，１４０Ｂの端面の区別はＡ，Ｂを付して区別する。図３には端面１４１Ａ、端面１４１Ｂを示しており、図４には端面１４２Ａ、端面１４２Ｂを示している。
【００３１】
＜装置長さＬＤ、隣接距離Ｌ１＞
灯具１００では、図３に示すように、隣接して配置される電源装置１４０Ａ、電源装置１４０Ｂどうしは、向かいあう端面１４１Ａ，１４２Ｂどうしのベース部１１１の長手方向Ｘにおける隣接距離Ｌ１が、各電源装置の装置長さＬＤのうちの、どの装置長さＬＤよりも短い。ここで装置長さＬＤとは、一つの電源装置における端面１４１と端面１４２との、ベース部１１１の長手方向Ｘにおける長さを示す。電源装置１４０Ａ、電源装置１４０Ｂのそれぞれの装置長さをＬＤＡ，ＬＤＢと記す。
なお、３つ以上の電源装置が一列状に配置されても良いことはもちろんである。図示はしていないが、一例として３台の電源装置１４０Ａ，１４０Ｂ，１４０Ｃが、一列状に並んでいる場合、電源装置１４０Ａと電源装置１４０Ｂとの隣接距離Ｌ１、電源装置１４０Ｂと電源装置１４０Ｃとの隣接距離Ｌ１は、電源装置１４０Ａ，１４０Ｂ，１４０Ｃのどの電源装置の装置長さＬＤよりも短い。
【００３２】
本実施の形態では、隣接距離Ｌ１は、２つの電源装置１４０Ａ，１４０Ｂのうちのどの電源装置の装置長さＬＤＡ，ＬＤＢの７０％よりも、短い。
つまり、ＬＤＡ×０．７＞Ｌ１、かつ、ＬＤＢ×０．７＞Ｌ１、
である。なお、３つ以上の電源装置が一列状に配置された場合にも当てはまる。
【００３３】
２つの電源装置１４０Ａ，１４０Ｂのうちベース部１１１の中央Ｃに最も近く配置された電源装置１４０Ｂは、２つの端面のうち中央Ｃ寄りの端面１４１Ｂと、中央Ｃとのベース部１１１の長手方向Ｘにおけるセンター距離Ｌ２が、２つの電源装置１４０Ａ，１４０Ｂのうちのどの電源装置の装置長さＬＤの５０％よりも、短い。
つまり、ＬＤＡ×０．５＞Ｌ２、かつ、ＬＤＢ×０．５＞Ｌ２、
である。この場合も３つ以上の電源装置が一列状に配置された場合にも当てはまる。
【００３４】
電源端子台１９０はベース部１１１に配置されるが、電源端子台１９０と、２つの調光端子１９１Ａ，１９１Ｂとは、その間に、２つの電源装置１４０Ａ，１４０Ｂを挟む位置に配置されている。このような電源端子台１９０の配置により、複数の電源装置と複数の調光端子との間に、さらに電線の配線スペースを確保することができる。この場合も３つ以上の電源装置が一列状に配置された場合にも当てはまる。
【００３５】
なお本実施の形態では、装置全体距離Ｌ１０は、取付具中央距離Ｌ２０の６５％程度ある。
つまり、
Ｌ１０／Ｌ２０＝０．６５
である。
ここで装置全体距離Ｌ１０とは、一列状に配置された複数の電源装置のうち、最もＸ１方向寄りに配置された電源装置の端面１４２と、最も反Ｘ１方向寄りに配置された電源装置の端面１４１との長手方向Ｘの距離である（図３）。取付具中央距離Ｌ２０とは、中央ＣよりもＸ１方向に配置された取付具１５０において中央Ｃ側の面１５１のうち開口１５２の照射方向（下側）の縁１５３を基準とした場合の、縁１５３と中央Ｃとの長手方向Ｘの距離である（図３）。これは電源装置１４０Ａ，１４０Ｂを小型化することで、６５％よりも小さくすることを想定した場合である。つまり装置全体距離Ｌ１０を取付具中央距離Ｌ２０の６０％以下、５５％以下、５０％以下のような比率にすることも可能である。
つまり、
Ｌ１０／Ｌ２０＜０．６、
Ｌ１０／Ｌ２０＜０．５５、
Ｌ１０／Ｌ２０＜０．５０、
等も可能である。
【００３６】
図９を参照して灯具１００の配線関係を説明する。図９に示すコネクタ５０１は電源端子台２４０のコネクタ５０２に接続される。照明装置１０の使用状態では、商用電力は、コネクタ５０１、コネクタ５０２を経由して灯具１００に供給される。図９において電線０１、電線０２、電線０３は電源線である。電線０１、電線０２は電力を供給する電線であり、電源端子台１９０に接続する。電線０３はアース線であり、本実施の形態では電源装置１４０Ａに接続する。電線１ａ〜電線６ａは電源装置１４０Ａに接続する電線である。電線１ａ，２ａは、電源端子台１９０と電源装置１４０Ａとを接続する電源線であり、電線１ａ，２ａによって電源端子台１９０から電源装置１４０Ａに商用電力が供給される。電線３ａ，４ａは、電源装置１４０ＡとＬＥＤモジュール１２０の光源回路１（ＬＥＤ群１２０Ａ）とを接続する電線であり、電線３ａ，４ａによってＬＥＤモジュール１２０の光源回路１に直流電力が供給される。電線５ａ，６ａは、電源装置１４０Ａと調光端子１９１Ａとを接続する調光線であり、電線５ａ，６ａには電源装置１４０Ａの調光制御を行う調光信号が流れる。
【００３７】
電線１ｂ，２ｂは、電源端子台１９０と電源装置１４０Ｂとを接続する電源線であり、電線１ｂ，２ｂによって電源端子台１９０から電源装置１４０Ｂに商用電力が供給される。電線３ｂ，４ｂは、電源装置１４０ＢとＬＥＤモジュール１２０の光源回路２（ＬＥＤ群１２０Ｂ）とを接続する電線であり、電線３ｂ，４ｂによってＬＥＤモジュール１２０の光源回路２に直流電力が供給される。電線５ｂ，６ｂは、電源装置１４０Ｂと調光端子１９１Ｂとを接続する調光線であり、電線５ｂ，６ｂには電源装置１４０Ｂの調光制御を行う調光信号が流れる。
【００３８】
第２電線クランプ１７０等を、図４の左側から順に説明する。
（１）第２電線クランプ１７０は電線３ｂ，４ｂをクランプする。
（２）電線保持部材１６０は電線３ｂ，４ｂをクランプする。
（３）電線保持部材１６０は、電線３ｂ，４ｂ及び電線５ａ，６ａ，５ｂ，６ｂを保持する。
（４）第２電線クランプ１８０は、電線０１，０２，０３をクランプする。
（５）電線保持部材１６０は、電線３ｂ，４ｂ及び電線５ａ，６ａ，５ｂ，６ｂを保持する。
（６）電線保持部材１６０は、図９に示すように、電線１ａ，２ａ，５ａ，６ａ，３ａ，４ａ，０２，０１，１ｂ，２ｂを保持している。
（７）第２電線クランプ１７０は、電線３ａ，４ｂをクランプする。
【００３９】
＜＊＊＊実施の形態１の効果＊＊＊＞
以上の実施の形態１によって、装置取付面１１１ｂに配置される電線の配線スペースを確保できる共に、電線どうしの干渉や、電線と部品との干渉を避けることができる。
【００４０】
実施の形態２．
図１０〜図１５を参照して実施の形態２の照明装置１０Ａを説明する。
図１０は、灯具１００Ａを取付側から見た斜視図である。
図１１は、灯具１００Ａを取付側から見た別の斜視図である。
図１２は、図１１の右側端部の部分拡大図である。
図１３は、灯具１００Ａを照射側から見た斜視図である。
図１４は、灯具１００Ａの６面図である。
図１５は、灯具１００Ａの配線図である。
【００４１】
照明装置１０Ａは、灯具１００Ａと、灯具１００Ａが取り付けられる照明器具２００を備える。照明器具２００は実施の形態１と同じである。照明装置１０Ａが実施の形態１の照明装置１０と異なる点は、灯具１００の調光端子１９１Ａ，１９１Ｂが、調光信号受信機１９２Ａ，１９２Ｂになった点である。調光信号受信機１９２Ａ，１９２Ｂは調光線接続部１９００である。この場合、調光線は後述の電線７ａ、電線７ｂである。
【００４２】
実施の形態１では、調光端子１９１Ａ，１９１Ｂに接続する図示していないコネクタなどの相手部品からの調光信号が調光端子１９１Ａ，１９１Ｂに入力され、調光端子１９１Ａ，１９１Ｂから調光線である電線５ａ，６ａ及び電線５ｂ，６ｂを介して電源装置１４０Ａ，１４０Ｂへ伝わる。この場合、有線で相手部品へ到達した調光信号が調光端子１９１Ａ，１９１Ｂを経て電源装置１４０Ａ，１４０Ｂへ伝わる。
【００４３】
これに対して実施の形態２では、調光端子１９１Ａ，１９１Ｂが、調光信号受信機１９２Ａ，１９２Ｂになっている。調光信号を無線送信する無線送信機から送信された無線の調光信号を調光信号受信機１９２Ａ，１９２Ｂが受信した場合、受信した調光信号あるいは受信した調光信号に応じた制御信号をそれぞれの電線７ａ，７ｂから電源装置１４０Ａ，１４０Ｂへ出力する。この場合、実施の形態１の電線５ａ，６ａ及び電線５ｂ，６ｂがそれぞれ電線７ａ，７ｂになっている。
【００４４】
つまり、実施の形態１で述べた電源装置１４０Ａ，１４０Ｂと調光端子１９１Ａ，１９１Ｂとの配置関係、及び電源端子台１９０と調光端子１９１Ａ，１９１Ｂとの配置関係によってベース部１１１の中央Ｃに対して反Ｘ１方向の装置取付面１１１ｂにスペースの余裕ができる。このため調光端子１９１Ａ，１９１Ｂよりも容量の大きい調光信号受信機１９２Ａ，１９２Ｂの配置が可能となる。
【００４５】
＜＊＊＊実施の形態２の効果＊＊＊＞
実施の形態２においても、電源装置１４０Ａ，１４０Ｂは中央Ｃに対してＸ１方向にまとまって配置されている。さらに電源端子台１９０も、電源端子台１９０と調光信号受信機１９２Ａ，１９２Ｂとの間に中央Ｃを挟むように配置されている。よって、実施の形態２においても実施の形態１と同様の効果を得ることができる。
【００４６】
さらに、実施の形態２では、実施の形態１で必要であった、調光端子１９１Ａ，１９１Ｂまでの有線の配線が不要となり、組立作業や施工作業の負担が軽減する効果がある。また、実施の形態２の照明装置１０Ａは、取り付けられる建造物等に予め調光用の配線が敷設されていない場合であっても使用することができる。
【００４７】
実施の形態３．
図１６〜図２１を参照して実施の形態３を説明する。実施の形態３では、実施の形態１、実施の形態２で説明した照明装置１０，１０Ａとは照明装置としての型式の異なる、照明装置１０Ｂ，１０Ｃ，１０Ｆを説明する。照明装置１０Ｂ，１０Ｃ，１０Ｆのそれぞれの型式の照明装置についても、実施の形態１、実施の形態２で説明した構成を適用できる。
【００４８】
＜照明装置１０Ｂ＞
図１６は照明装置１０Ｂの斜視図である。また、図１７は図１６に示す照明装置１０ＢのＢ−Ｂ断面図である。照明装置１０Ｂは直付けタイプである。照明装置１０Ｂは、照明器具２００Ｂの形状が照明装置１０の照明器具２００と異なる。また、照明装置１０Ｂは、照明器具２００Ｂが光を反射させる構成を備えていないトラフタイプの照明装置である。
【００４９】
＜照明装置１０Ｃ＞
図１８は照明装置１０Ｃの斜視図である。また、図１９は図１８に示す照明装置１０ＣのＢ−Ｂ断面図である。照明装置１０Ｃは直付けタイプである。照明装置１０Ｃは、照明
器具２００Ｃの形状が照明装置１０の照明器具２００と異なる。また、照明装置１０Ｃは、照明器具２００Ｃの傾斜部２１１ｄＣが凹部２１１の開口縁部２１１ｂａから下方に向かって広がるように形成された反射笠タイプの照明装置である。
【００５０】
＜照明装置１０Ｆ＞
図２０は照明装置１０Ｆの斜視図である。また、図２１は図２０に示す照明装置１０ＦのＢ−Ｂ断面図である。照明装置１０Ｆは、埋込タイプの照明装置である。照明装置１０Ｆは、照明器具２００Ｆの形状が照明装置１０の照明器具２００と異なる。照明装置１０Ｆは、Ｃチャンネル回避型の照明装置である。
【００５１】
以上の実施の形態３に説明した各型の照明装置に実施の形態１及び実施の形態２の構成を適用することで、実施の形態３についても実施の形態１、実施の形態２と同様の効果を得ることができる。
【符号の説明】
【００５２】
ＬＤ  装置長さ、Ｌ１  隣接距離、Ｌ２  センター距離、Ｌ２０  取付具中央距離、Ｌ１０  装置全体距離、０１，０２，０３  電線、１ａ，２ａ，３ａ，４ａ，５ａ，６ａ，７ａ  電線、１ｂ，２ｂ，３ｂ，４ｂ，５ｂ，６ｂ，７ｂ  電線、１０，１０Ａ，１０Ｂ，１０Ｃ，１０Ｆ  照明装置、１００，１００Ａ，１００Ｂ，１００Ｃ，１００Ｆ  灯具、１１０  フレーム、１１１  ベース部、１１１ａ  光源取付面、１１１ｂ  装置取付面、１１２  側壁部、１１２ｃ  カール部、１２０  ＬＥＤモジュール、１２０ａ  発光素子、１２０ｂ  基板、１３０  カバー、１３１  カバー側部、１３４  カバー蓋部、１４０Ａ  電源装置、１４０Ｂ  電源装置、１４１  端面、１５０  取付具、１６０  電線保持部材、１７０  第２電線クランプ、１８０  第１電線クランプ、１９０  電源端子台、１９１Ａ，１９１Ｂ  調光端子、１９２Ａ，１９２Ｂ  調光信号受信機、１９００  調光線接続部、２００，２００Ａ，２００Ｂ，２００Ｃ，２００Ｆ  照明器具、２１０  器具本体、２１１  凹部、２１１ａ  底面部、２１１ｂ  側面部、２１１ｃ  開口部、２１１ｄ  傾斜部、２２０  端板部、２３０  バネ、２４０  端子台、５０１，５０２  コネクタ、１２００  光源モジュール、１９００  調光線接続部。
【図１】
2017112042.tif 000003
【図２】
2017112042.tif 000004
【図３】
2017112042.tif 000005
【図４】
2017112042.tif 000006
【図５】
2017112042.tif 000007
【図６】
2017112042.tif 000008
【図７】
2017112042.tif 000009
【図８】
2017112042.tif 000010
【図９】
2017112042.tif 000011
【図１０】
2017112042.tif 000012
【図１１】
2017112042.tif 000013
【図１２】
2017112042.tif 000014
【図１３】
2017112042.tif 000015
【図１４】
2017112042.tif 000016
【図１５】
2017112042.tif 000017
【図１６】
2017112042.tif 000018
【図１７】
2017112042.tif 000019
【図１８】
2017112042.tif 000020
【図１９】
2017112042.tif 000021
【図２０】
2017112042.tif 000022
【図２１】
2017112042.tif 000023